(57)【要約】【課題】電池の種類を自動判別できなくても、電池の種類に応じた消耗状態の判定を行うようにした携帯機器の電池チェック装置を得る。【解決手段】ＭＣＵ１は、入力ポートＰ３に入力される電池在否検出スイッチ５からの信号レベルによって電池７の装填を検出すると、電池種類情報を入力する操作を使用者に促す表示を表示装置に行わせる。ＭＣＵ１は、操作部材６から入力される電池種類を示す操作信号に応じて、一次電池用判定基準および二次電池用判定基準のいずれかを電池７の電圧の消耗判定基準とする。ＭＣＵ１はバッテリチェック回路４からの信号を用いて電池７の電圧を検出し、▲１▼電池電圧＞消耗判定基準では、表示装置に電池マークを表示するための表示セグメントを全て点灯させる。▲２▼消耗判定基準≧電池電圧＞動作禁止電圧では、表示装置に電池マークの表示セグメントの一部を消灯させる。▲３▼動作禁止電圧≧電池電圧では、表示装置に電池マークの表示セグメントを点滅させる。【選択図】図１
2004349193.tif 000002
【特許請求の範囲】
【請求項１】
装填されている電池が一次電池および二次電池のいずれであるかを示す操作を要求する操作要求手段と、
前記操作を行うための操作部材と、
前記装填されている電池の電圧を検出する電圧検出手段と、
前記電圧検出手段による検出電圧が所定の判定レベルより低い場合に電圧低下を示す信号を出力する電池情報発生手段と、
前記操作部材からの操作信号に応じて前記判定レベルを前記一次電池用判定レベルと前記二次電池用判定レベルとの間で切り換えるように前記電池情報発生手段を制御する制御手段とを備えることを特徴とする携帯機器の電池チェック装置。
【請求項２】
請求項１に記載の携帯機器の電池チェック装置において、
電池の装填を検出する電池検出手段をさらに備え、
前記操作要求手段は、前記電池検出手段によって電池の装填が検出されると前記操作を要求することを特徴とする携帯機器の電池チェック装置。
【請求項３】
請求項１に記載の携帯機器の電池チェック装置において、
電池の装填を検出する電池検出手段をさらに備え、
前記操作要求手段は、前記電池検出手段による電池の装填検出後に携帯機器が起動操作されると前記操作を要求することを特徴とする携帯機器の電池チェック装置。
【請求項４】
請求項１に記載の携帯機器の電池チェック装置において、
電池の装填を検出する電池検出手段と、
前記制御手段を初期状態にリセットするためのリセット信号発生手段とをさらに備え、
前記操作要求手段は、前記電池検出手段による電池の装填検出後に前記制御手段が前記初期状態にされると前記操作を要求することを特徴とする携帯機器の電池チェック装置。
【請求項５】
請求項１〜４のいずれかに記載の携帯機器の電池チェック装置において、
前記電池検出手段は、電池の装填に応じてオンもしくはオフするスイッチで構成されることを特徴とする携帯機器の電池チェック装置。
【請求項６】
請求項１〜５のいずれかに記載の携帯機器の電池チェック装置において、
前記電池情報発生手段は、前記一次電池用判定レベルを前記判定レベルの初期値とすることを特徴とする携帯機器の電池チェック装置。
【請求項７】
請求項１〜５のいずれかに記載の携帯機器の電池チェック装置において、
前記制御手段は、前記操作要求手段が前記要求を行ってから所定時間以上前記操作部材から操作信号が入力されないとき、前記判定レベルを前記一次電池用判定レベルにするように前記電池情報発生手段を制御することを特徴とする携帯機器の電池チェック装置。
【発明の詳細な説明】
【０００１】
【発明の属する技術分野】
本発明は、同形状の一次電池および二次電池の双方が使用可能な携帯機器の電池チェック装置に関する。
【０００２】
【従来の技術】
電池電圧をチェックすることによって電池の残量を検出する携帯機器が知られている。このような機器では、電池の電圧を検出し、検出電圧が所定値を下回ると電池の消耗状態が判定される。一般に、アルカリ乾電池などの一次電池と充電可能な二次電池とは放電特性が異なるので、電池の種類に応じて異なる値を消耗状態の判定に用いるのが好ましい。そこで、特許文献１には、電池の種類を判別して電池の消耗状態の判定に用いる値を切り換えるカメラが開示されている。
【０００３】
特許文献１に記載のカメラは、リチウムイオン二次電池が消耗して初期電圧（４．２Ｖ）から電池電圧が低下した場合、リチウム一次電池の初期電圧（３．２Ｖ）より高い電圧（３．３Ｖ）で使用を停止することを前提に、電池の種類を判別する。すなわち、電池電圧が３．２Ｖより高ければ二次電池とみなし、３．２Ｖ以下であれば一次電池とみなす。
【０００４】
【特許文献１】
特開平８−６２６６３号公報
【０００５】
【発明が解決しようとする課題】
特許文献１の技術では、初期電圧が１．６Ｖの一次電池（たとえば、アルカリ乾電池）、および初期電圧が１．４Ｖの二次電池（たとえば、ニッケル水素電池）の双方を使用可能な場合に電池の種類を判別することができない。すなわち、両電池は消耗に至る過程で同等の電圧値を有するので、検出される電池電圧から一次電池および二次電池を判別することが困難である。この結果、電池の種類に応じて異なる値を消耗状態の判定に用いることができない。
【０００６】
本発明は、電池が一次電池であるか二次電池であるかを自動判別できなくても、電池の種類に応じた電池消耗状態の判定を行うようにした携帯機器の電池チェック装置を提供するものである。
【０００７】
【課題を解決するための手段】
本発明による携帯機器の電池チェック装置は、装填されている電池が一次電池および二次電池のいずれであるかを示す操作を要求する操作要求手段と、操作を行うための操作部材と、装填されている電池の電圧を検出する電圧検出手段と、電圧検出手段による検出電圧が所定の判定レベルより低い場合に電圧低下を示す信号を出力する電池情報発生手段と、操作部材からの操作信号に応じて判定レベルを一次電池用判定レベルと二次電池用判定レベルとの間で切り換えるように電池情報発生手段を制御する制御手段とを備えることを特徴とする。
上記携帯機器の電池チェック装置はさらに、電池の装填を検出する電池検出手段を備えてもよく、この場合の操作要求手段は、電池検出手段によって電池の装填が検出されると操作を要求することもできる。
また、電池検出手段を備える携帯機器の電池チェック装置の操作要求手段は、電池検出手段による電池の装填検出後に携帯機器が起動操作されると操作を要求することもできる。
上記携帯機器の電池チェック装置はさらに、電池の装填を検出する電池検出手段と、制御手段を初期状態にリセットするためのリセット信号発生手段とを備えてもよい。この場合の操作要求手段は、電池検出手段による電池の装填検出後に制御手段が初期状態にされると操作を要求することもできる。
上記電池検出手段は、電池の装填に応じてオンもしくはオフするスイッチで構成してもよい。
上記電池情報発生手段は、一次電池用判定レベルを判定レベルの初期値としてもよい。
上記制御手段は、操作要求手段が要求を行ってから所定時間以上操作部材から操作信号が入力されないとき、判定レベルを一次電池用判定レベルにするように電池情報発生手段を制御することもできる。
【０００８】
【発明の実施の形態】
以下、図面を参照して本発明の実施の形態を説明する。
（第一の実施の形態）
図１は、本発明の第一の実施の形態による携帯機器の電池チェック装置の要部構成を説明するブロック図である。携帯機器は、たとえば、カメラ、電話機（通信機）、携帯型情報端末（ＰＤＡ）、パソコン、録音／再生機などである。図１において電池チェック装置は、マイクロコンピュータ（以下、ＭＣＵと呼ぶ）１と、ＤＣ／ＤＣコンバータ２と、リセットＩＣ３と、バッテリチェック回路４と、電池在否検出スイッチ５とを有する。電池チェック装置は、電池７の電圧を検出し、検出電圧をあらかじめ用意されている判定基準と比較する。電池チェック装置はさらに、検出電圧が判定基準より低いとき、電池７が消耗していることを示す情報を不図示の表示装置などに表示する。表示装置は、たとえば、電池マークや文字などを表示可能なＬＣＤ表示器などで構成される。
【０００９】
電池７は、アルカリ乾電池（たとえば、初期電圧が１．６Ｖ）などの一次電池、もしくはニッケル水素電池（たとえば、初期電圧が１．４Ｖ）などの充電可能な二次電池が装填される。この場合の一次電池および二次電池は同形状であり、いずれの電池でも装填可能に携帯機器が構成されている。電池７は、ＭＣＵ１の他に、携帯機器の不図示の各回路および表示装置に対して電力を供給する。
【００１０】
ＭＣＵ１は、携帯機器の動作ならびに電池チェック装置を制御する。ＭＣＵ１は、入力ポートＰ０〜Ｐ９および内部メモリ（不図示）を含む。ポートＰ０にはリセット信号が入力される。ポートＰ１およびＰ２には電圧検出用信号が入力される。ポートＰ３には電池検出信号が入力される。ポートＰ４〜Ｐ９には操作部材６からの操作信号が入力される。操作部材６は、携帯機器を起動操作するためのメインスイッチを含む。
【００１１】
ＤＣ／ＤＣコンバータ２は、電池７の電圧をＭＣＵ１の動作電圧に電圧変換し、変換後の電圧をＭＣＵ１の端子Ｖおよび端子Ｇ間へ供給する。リセットＩＣ３は、ＤＣ／ＤＣコンバータ２から供給される電圧がＭＣＵ１の動作に必要な電圧を下回ると、Ｌレベルのリセット信号をＭＣＵ１のポートＰ０へ出力する。なお、ＤＣ／ＤＣコンバータ２による供給電圧がＭＣＵ１の動作に必要な電圧以上の場合は、リセットＩＣ３はＨレベルの信号を出力する。ＭＣＵ１は、ポートＰ０にリセット信号が入力されると、フラグなどの設定状態を初期値にする（初期状態に復帰させる）ように構成されている。
【００１２】
バッテリチェック回路４は、電池７の端子電圧に応じた電圧検出用信号をＭＣＵ１のポートＰ１およびＰ２へ出力する。ＭＣＵ１は、バッテリチェック回路４から入力ポートＰ１およびＰ２に入力される信号を用いて電池７の電圧を検出する。電池在否検出スイッチ５は、たとえば、マイクロスイッチなどで構成される。電池在否検出スイッチ５は、電池７が携帯機器に装填されるとオフ、電池７が非装填の場合にオンされるように構成され、電池在否検出スイッチ５の信号はＭＣＵ１のポートＰ３に接続されている。ＭＣＵ１のポートＰ３は内部でプルアップされているため、ＭＣＵ１は電池７の装填時にポートＰ３でＨレベルを検出し、電池７の非装填時にポートＰ３でＬレベルを検出する。
【００１３】
本発明は、上記携帯機器における電池７のチェックに関し、電池７の消耗を判定するための判定基準を、一次電池と二次電池とで切り換えるようにしたものである。
【００１４】
図２は、ＭＣＵ１で行われる電池チェック判定基準変更処理の流れを示すフローチャートである。ＭＣＵ１は、電池７が非装填の状態（すなわち、ＤＣ／ＤＣコンバータ２からの供給電圧がＭＣＵ１の動作に必要な電圧に満たない状態）であっても、処理を所定時間実行可能なように、内部にバックアップ電池（不図示）が設けられている。バックアップ電池は、電池７が携帯機器に装填されているときに充電される。図２による処理は、上記バックアップ電池が充電されている状態で所定間隔ごとに繰り返し行われる。
【００１５】
図２のステップＳ４０２において、ＭＣＵ１はリセット中か否かを判定する。ＭＣＵ１は、初期状態へ復帰処理中の場合にステップＳ４０２を肯定判定（リセット中とみなす）してステップＳ４０４へ進み、復帰処理中でない場合はステップＳ４０２を否定判定（リセット中でないとみなす）してステップＳ４０３へ進む。
【００１６】
ステップＳ４０３において、ＭＣＵ１は、電池７が装填されたか否かを判定する。ＭＣＵ１は、入力ポートＰ３の入力信号でＬレベル→Ｈレベルへの信号変化を検出すると、ステップＳ４０３を肯定判定して（電池が新たに装填されたとみなす）ステップＳ４０５へ進む。ＭＣＵ１は、入力ポートＰ３の入力信号がＬレベルを継続、もしくはＨレベルを継続する場合は、ステップＳ４０３を否定判定し（電池が非装填である、もしくは電池が既に装填されているとみなす）、図２による処理を終了する。
【００１７】
ステップＳ４０４において、ＭＣＵ１は、リセットが解除されたか否かを判定する。ＭＣＵ１は、初期状態へ復帰処理中の場合にステップＳ４０４を否定判定（リセット継続とみなす）して当該判定処理を繰り返し、復帰処理中でない場合はステップＳ４０４を肯定判定（リセット解除とみなす）してステップＳ４０５へ進む。ＭＣＵ１がリセット解除されるのは電池７による電圧がリセットＩＣ３に供給された場合であるので、ステップＳ４０５へ進む場合は電池７が新たに装填されたとみなせる。
【００１８】
ステップＳ４０５において、ＭＣＵ１は、内部のタイマ回路（不図示）で計時を開始してステップＳ４０６へ進む。ステップＳ４０６において、ＭＣＵ１は、不図示の表示装置に指令を出力し、装填されている電池７の種類情報を入力する操作を使用者に促す選択画面表示を行わせる。ＭＣＵ１は、たとえば、「一次電池／二次電池  ？」を表示装置に表示させてステップＳ４０７へ進む。
【００１９】
ステップＳ４０７において、ＭＣＵ１は、計時時間が所定時間（たとえば、５秒）を経過したか否かを判定する。ＭＣＵ１は、所定時間を計時した場合にステップＳ４０７を肯定判定してステップＳ４１３へ進み、計時時間が所定時間に満たない場合にステップＳ４０７を否定判定してステップＳ４０８へ進む。
【００２０】
ステップＳ４０８において、ＭＣＵ１は、一次電池が選択されたか否かを判定する。ＭＣＵ１は、操作部材６から一次電池を選択する操作信号が入力された場合にステップＳ４０８を肯定判定してステップＳ４０９へ進み、操作部材６から二次電池を選択する操作信号が入力された場合にステップＳ４０８を否定判定してステップＳ４１０へ進む。
【００２１】
ステップＳ４０９において、ＭＣＵ１は、ＢＣ警告レベル（すなわち、電池電圧の判定基準）を一次電池用の判定基準Ｖ１にセットしてステップＳ４１１へ進む。ステップＳ４１０において、ＭＣＵ１は、ＢＣ警告レベルを二次電池用の判定基準Ｖ３にセットしてステップＳ４１１へ進む。
【００２２】
図３は、一次電池（アルカリ電池）および二次電池（ニッケル水素電池）の放電特性例を示す図である。図３において横軸は放電時間（持続時間）を表し、縦軸は電池電圧を表す。電圧Ｖ１は一次電池用の判定基準であり、電圧Ｖ３は二次電池用の判定基準である。電圧Ｖ２は動作禁止電圧を表す。携帯機器は、電池電圧が電圧Ｖ２を下回った状態ではメイン処理（カメラの場合は撮影処理など）を禁止するように構成されている。電圧Ｖ１〜Ｖ３は、Ｖ１＞Ｖ３＞Ｖ２の関係を有する。
【００２３】
曲線３１は一次電池の放電特性例を示し、初期電圧は１．６Ｖである。一次電池の電圧は携帯機器の使用とともに低下し、タイミングｔ２の時点で一次電池用判定基準Ｖ１まで低下する。携帯機器をさらに使用すると、電池電圧はさらに低下し、タイミングｔ３の時点で動作禁止電圧Ｖ２まで低下する。なお、動作禁止電圧Ｖ２は、携帯機器の動作に最低限必要な電池の電圧としてあらかじめＭＣＵ１内に記憶されている。
【００２４】
曲線３２は二次電池の放電特性例を示し、初期電圧は１．４Ｖである。二次電池の電圧は携帯機器の使用とともに低下し、タイミングｔ１の時点で一次電池用判定基準Ｖ１まで低下する。二次電池の場合は、一次電池用判定基準Ｖ１以降の電圧低下が一次電池に比べてゆるやかに進む。携帯機器をさらに使用すると電池電圧はさらに低下し、タイミングｔ５の時点で二次電池用判定基準Ｖ３まで低下し、タイミングｔ４の時点で動作禁止電圧Ｖ２まで低下する。
【００２５】
図２のステップＳ４１１において、ＭＣＵ１は、内部のタイマ回路（不図示）の計時を停止させてステップＳ４１２へ進む。ステップＳ４１２において、ＭＣＵ１は、不図示の表示装置に指令を出力し、電池７の種類情報を入力する操作を使用者に促す選択画面表示を終了（消灯）させて図２による処理を終了する。
【００２６】
ステップＳ４１３において、ＭＣＵ１は、内部のタイマ回路（不図示）の計時を終了させてステップＳ４１４へ進む。ステップＳ４１４において、ＭＣＵ１は、不図示の表示装置に指令を出力し、電池７の種類情報を入力する操作を使用者に促す選択画面表示を終了（消灯）させてステップＳ４１５へ進む。ステップＳ４１５において、ＭＣＵ１は、ＢＣ警告レベル（電池電圧の判定基準）を一次電池用の判定基準Ｖ１にセットし、図２による処理を終了する。これにより、使用者が装填されている電池７の種類情報を入力する操作を行わない場合は、ＢＣ警告レベルが一次電池用の判定基準Ｖ１にセットされる。
【００２７】
図２の処理が終了後に操作部材６のメインスイッチがオン操作されると、ＭＣＵ１は、所定のメイン処理（不図示）を開始させる。ＭＣＵ１は、メイン処理を実行しながら所定のタイミングで電池７の電圧を検出し、検出電圧（電池電圧）を上述したように設定される判定基準と比較する。ＭＣＵ１は、不図示の表示装置に指令を出力し、比較結果を以下のように表示させる。
【００２８】
１．一次電池の場合
▲１▼電池電圧＞Ｖ１では、表示装置（不図示）に電池マークを表示するための表示セグメントを全て点灯させ、電池７の残容量が十分であることを使用者に報知する表示を行わせる。
▲２▼Ｖ１≧電池電圧＞Ｖ２では、表示装置（不図示）に電池マークの表示セグメントの一部を消灯させ、電池７の消耗を使用者に報知する警告表示を行わせる。
▲３▼Ｖ２≧電池電圧では、表示装置（不図示）に電池マークの表示セグメントを点滅させ、電池７の容量不足を使用者に報知する表示を行わせる。
【００２９】
２．二次電池の場合
▲１▼電池電圧＞Ｖ３では、表示装置（不図示）に電池マークを表示するための表示セグメントを全て点灯させ、電池７の残容量が十分であることを使用者に報知する表示を行わせる。
▲２▼Ｖ３≧電池電圧＞Ｖ２では、表示装置（不図示）に電池マークの表示セグメントの一部を消灯させ、電池７の消耗を使用者に報知する警告表示を行わせる。
▲３▼Ｖ２≧電池電圧では、表示装置（不図示）に電池マークの表示セグメントを点滅させ、電池７の容量不足を使用者に報知する表示を行わせる。
【００３０】
以上説明した第一の実施の形態によれば、次の作用効果が得られる。
（１）ＭＣＵ１は、携帯機器への電池装填を検出した場合（ステップＳ４０３を肯定判定もしくはステップＳ４０４を肯定判定）に電池種類情報を入力する操作を使用者に促す選択画面表示を行わせる（ステップＳ４０６）ようにしたので、電池７の交換や新たな電池７の装填のタイミングで電池種類の入力操作を使用者に要求することができる。この結果、選択画面表示を行わない場合に比べて、使用者が電池種類の入力操作を忘れることを防止する効果が得られる。
【００３１】
（２）ＭＣＵ１は、電池種類を示す操作信号に応じて、電池７の電圧の消耗判定基準（ＢＣ警告レベル）として一次電池用判定基準Ｖ１と、二次電池用判定基準Ｖ３とを切り換えるようにしたので、一次電池および二次電池の放電特性の違いを考慮した電池の残量警告表示を行うことが可能になる。とくに、電池７の消耗を知らせる警告表示を行ってから電池７の電圧が動作禁止電圧Ｖ２まで低下するまでの時間を、一次電池の場合（タイミングｔ２からｔ３まで）と二次電池の場合（タイミングｔ５からｔ４まで）とでほぼ同時間にするようにＶ１およびＶ３を設定すれば、使用者にとって使いやすい電池の残量表示を行うことができる。
【００３２】
（３）ＭＣＵ１は、電池種類を示す操作信号が入力されない場合に電池７の電圧の消耗判定基準（ＢＣ警告レベル）として一次電池用判定基準Ｖ１をセットする（ステップＳ４１５）ようにした。もし、二次電池が装填されている場合には電池７の消耗を知らせる警告表示を行ってから電池７の電圧が動作禁止電圧Ｖ２まで低下するまでの時間が長くなるが、使用者にとっては、警告表示から動作禁止電圧Ｖ２へ電圧低下するまでの時間が短くなるより使いやすい。
【００３３】
（４）ＭＣＵ１は、電池種類を示す操作信号にかかわらず動作禁止電圧Ｖ２を変更しないようにしたので、使用者が電池種類の入力操作を行わなかったとしても携帯機器の使用時間が変わることがなく、使用者にとって使いやすい携帯機器を提供することができる。
【００３４】
（第二の実施の形態）
図４は、ＭＣＵ１で行われる第二の実施の形態による電池チェック判定基準変更処理の流れを示すフローチャートである。図４による処理は、上記バックアップ電池が充電された状態において所定間隔ごとに繰り返し行われる。
【００３５】
図４のステップＳ３０１において、ＭＣＵ１は、メインスイッチがオンされたか否かを判定する。ＭＣＵ１は、操作部材６からメインスイッチオンを示す操作信号が入力された場合にステップＳ３０１を肯定判定してステップＳ３０２へ進み、メインスイッチオンを示す操作信号が入力されない場合にステップＳ３０１を否定判定し、図４による処理を終了する。
【００３６】
ステップＳ３０２において、ＭＣＵ１は、電池装填情報があるか否かを判定する。ＭＣＵ１は、電池装填情報がある場合にステップＳ３０２を肯定判定してステップＳ３０３へ進み、電池装填情報がない場合にステップＳ３０２を否定判定してステップＳ３０８へ進む。電池装填情報は、電池の装填が検出されたときにＭＣＵ１内にセットされるフラグ等が対応する。電池装填情報のセットについては後述する。
【００３７】
ステップＳ３０３において、ＭＣＵ１は、不図示の表示装置に指令を出力し、装填されている電池７の種類情報を入力する操作を使用者に促す選択画面表示を行う。ＭＣＵ１は、たとえば、「一次電池／二次電池  ？」を表示装置に表示させてステップＳ３０４へ進む。
【００３８】
ステップＳ３０４において、ＭＣＵ１は、一次電池が選択されたか否かを判定する。ＭＣＵ１は、操作部材６から一次電池を選択する操作信号が入力された場合にステップＳ３０４を肯定判定してステップＳ３０５へ進み、操作部材６から二次電池を選択する操作信号が入力された場合にステップＳ３０４を否定判定してステップＳ３０６へ進む。
【００３９】
ステップＳ３０５において、ＭＣＵ１は、ＢＣ警告レベル（電池電圧の判定基準）を一次電池用の判定基準Ｖ１にセットしてステップＳ３０７へ進む。ステップＳ３０６において、ＭＣＵ１は、ＢＣ警告レベルを二次電池用の判定基準Ｖ３にセットしてステップＳ３０７へ進む。
【００４０】
ステップＳ３０７において、ＭＣＵ１は、ＭＣＵ１内にセットされている電池装填情報をクリアしてステップＳ３０８へ進む。これにより、次回メインスイッチがオンされた場合にはステップＳ３０２で否定判定されるので、使用者がメインスイッチをオンするごとに電池種類の入力操作を行う必要がない。ステップＳ３０８において、ＭＣＵ１は、不図示の表示装置に指令を出力し、電池７の種類情報を入力する操作を使用者に促す選択画面表示を終了（消灯）させるとともに、所定の起動処理を行って図４による処理を終了し、不図示のメイン処理へ進む。起動処理は、携帯機器の各回路に電池７による電力を供給する他、携帯機器がカメラの場合には、メインスイッチオフ時に沈胴されていたレンズ鏡筒の繰り出し駆動や、シャッタなどの初期化駆動などを行うものである。
【００４１】
なお、上述したステップＳ３０４で電池種類の入力操作判定を行う前は、ＭＣＵ１はＢＣ警告レベルの初期値として一次電池用の判定基準Ｖ１を用いるものとする。
【００４２】
上述した電池装填情報をセットする処理について図５のフローチャートを参照して説明する。図５による処理は、上記バックアップ電池が充電された状態においてＭＣＵ１が所定間隔ごとに繰り返し行う。ステップＳ１０１において、ＭＣＵ１は、電池７が装填されたか否かを判定する。ＭＣＵ１は、入力ポートＰ３の入力信号でＬレベル→Ｈレベルへの信号変化を検出するとステップＳ１０１を肯定判定（電池が装填されたとみなす）してステップＳ１０２へ進み、入力ポートＰ３に入力される信号がＬレベルのまま、もしくはＨレベルのままの場合はステップＳ１０１を否定判定（電池非装填、もしくは電池が既に装填されているとみなす）し、図５による処理を終了する。ステップＳ１０１を否定判定する場合は、電池装填情報をセットしない。
【００４３】
ステップＳ１０２において、ＭＣＵ１は、電池が装填されたことを示す電池装填情報をＭＣＵ１内にセットして図５による処理を終了する。
【００４４】
電池装填時にＭＣＵ１がリセット状態にある場合は、図６のフローチャートによる処理を行う。図６のステップＳ２０１において、ＭＣＵ１は、電池７が装填されたか否かを判定する。ＭＣＵ１は、入力ポートＰ３の入力信号でＬレベル→Ｈレベルへの信号変化を検出するとステップＳ２０１を肯定判定（電池が装填されたとみなす）してステップＳ２０２へ進み、入力ポートＰ３に入力される信号がＬレベルのまま、もしくはＨレベルのままの場合はステップＳ２０１を否定判定（電池非装填、もしくは電池が既に装填されているとみなす）し、図６による処理を終了する。ステップＳ２０１を否定判定する場合は、電池装填情報をセットしない。
【００４５】
ステップＳ２０２において、ＭＣＵ１は、リセットが解除されたか否かを判定する。ＭＣＵ１は、初期状態へ復帰処理中の場合にステップＳ２０２を否定判定（リセット継続とみなす）して当該判定処理を繰り返し、復帰処理中でない場合はステップＳ２０２を肯定判定（リセット解除とみなす）してステップＳ２０３へ進む。ＭＣＵ１がリセット解除されるのは電池７による電圧がリセットＩＣ３に供給された場合であるので、ステップＳ２０３へ進む場合は電池７が新たに装填されたとみなせる。
【００４６】
ステップＳ２０３において、ＭＣＵ１は、リセット後の初期化処理を行ってステップＳ２０４へ進む。ステップＳ２０４において、ＭＣＵ１は、電池が装填されたことを示す電池装填情報をＭＣＵ１内にセットして図６による処理を終了する。
【００４７】
ＭＣＵ１は、以上説明した図５、図６および図４の処理が終了した後にメイン処理（不図示）を行いながら、所定のタイミングで電池７の電圧を検出し、検出電圧を上述したように設定される判定基準と比較する。ＭＣＵ１は、比較結果を不図示の表示装置などに表示する。なお、電池チェック結果の表示は上述した第一の実施の形態と同様に行う。
【００４８】
以上説明した第二の実施の形態によれば、次の作用効果が得られる。
（１）ＭＣＵ１は、電池装填を検出した後（電池装填情報がセットされている状態）でメインスイッチがオンされると電池種類情報を入力する操作を使用者に促す選択画面表示を行わせる（ステップＳ３０３）ようにしたので、電池７の交換や新規装填が行われていればメインスイッチオンのタイミングで電池種類の入力操作を使用者に要求することができる。この結果、選択画面表示を行わない場合に比べて、使用者が電池種類の入力操作を忘れることを防止する効果が得られる。
【００４９】
（２）第一の実施の形態と同様に、一次電池および二次電池の放電特性の違いを考慮した電池の残量警告表示を行うことが可能になる。
【００５０】
（３）ＭＣＵ１は、電池種類を示す操作信号が入力されるまでは電池７の電圧の消耗判定基準（ＢＣ警告レベル）として一次電池用判定基準Ｖ１をセットするようにした。もし、二次電池が装填されている場合には電池７の消耗を知らせる警告表示を行ってから電池７の電圧が動作禁止電圧Ｖ２まで低下するまでの時間が長くなるが、使用者にとっては、警告表示から動作禁止電圧Ｖ２まで電圧低下する時間が短くなるより使いやすい。
【００５１】
（４）第一の実施の形態と同様に、電池種類を示す操作信号にかかわらず動作禁止電圧Ｖ２を変更しないから、使用者が電池種類の入力操作を行わなかったとしても携帯機器の使用時間が変わることがなく、使用者にとって使いやすい携帯機器を提供することができる。
【００５２】
上述した第一の実施の形態および第二の実施の形態を組み合わせてもよい。この場合には、電池７の装填（交換）、携帯機器の起動操作（メインスイッチオン）、およびＭＣＵ１のリセット解除のそれぞれのタイミングで、携帯機器が電池種類の入力操作を使用者に要求することができる。
【００５３】
以上の説明では、電池７の容量不足を示すために、表示装置（不図示）における電池マークの表示セグメントを点滅させる例を説明した。点滅表示の代わりに、表示セグメントを消灯させてもよい。
【００５４】
特許請求の範囲における各構成要素と、発明の実施の形態における各構成要素との対応について説明する。操作要求手段は、たとえば、ＭＣＵ１および表示装置によって構成される。要求は、たとえば、選択画面表示指令が対応する。電圧検出手段は、たとえば、バッテリチェック回路４およびＭＣＵ１によって構成される。電池情報発生手段および制御手段は、たとえば、ＭＣＵ１によって構成される。電圧低下を示す信号は、たとえば、警告表示指令が対応する。判定レベルは、たとえば、ＢＣ警告レベルが対応する。電池検出手段は、たとえば、電池在否検出スイッチ５およびＭＣＵ１によって構成される。リセット信号発生手段は、たとえば、リセットＩＣ３によって構成される。なお、本発明の特徴的な機能を損なわない限り、各構成要素は上記構成に限定されるものではない。
【００５５】
【発明の効果】
本発明による携帯機器の電池チェック装置では、電池が一次電池か二次電池かを示す操作を要求し、入力される操作信号に応じて電圧低下の判定レベルを切り換えるようにしたので、電池が一次電池であるか二次電池であるかを自動判別できなくても、電池の種類に応じた電池消耗状態の判定を行うことができる。
【図面の簡単な説明】
【図１】本発明の第一の実施の形態による携帯機器の電池チェック装置の要部構成を説明するブロック図である。
【図２】電池チェック判定基準変更処理の流れを示すフローチャートである。
【図３】一次電池（アルカリ電池）および二次電池（ニッケル水素電池）の放電特性例を示す図である。
【図４】第二の実施の形態による電池チェック判定基準変更処理の流れを示すフローチャートである。
【図５】電池装填情報をセットする処理の流れを説明するフローチャートである。
【図６】電池装填情報をセットする処理の流れを説明するフローチャートである。
【符号の説明】
１…ＭＣＵ、                      ２…ＤＣ／ＤＣコンバータ、
３…リセットＩＣ、                ４…バッテリチェック回路、
５…電池在否検出スイッチ、        ６…操作部材、
７…電池
【図１】
2004349193.tif 000003
【図２】
2004349193.tif 000004
【図３】
2004349193.tif 000005
【図４】
2004349193.tif 000006
【図５】
2004349193.tif 000007
【図６】
2004349193.tif 000008